(57)【要約】【課題】周波数拡散によって拡散調整された周波数スペクトラムのピークの重なりを防ぎ、複数の電子機器について周波数拡張変調を行う際のＥＭＩ低減効果を確保する。【解決手段】クロック信号制御装置は、所定の周波数のクロック信号を生成するクロック信号生成部と、クロック信号生成部によって生成されたクロック信号を拡散変調する周波数拡散変調部と、周波数拡散変調部が行う拡散変調の変調タイプの設定を制御する変調タイプ設定制御部とを備える。周波数拡散変調部は、変調タイプ設定制御部の制御によって複数の変調タイプから変調タイプを選択して設定し、設定した変調タイプに基づいてクロック信号を拡散変調する。複数の周波数拡散変調部において異なる変調タイプで周波数拡散を行い、周波数拡散によって拡散調整された周波数スペクトラムの各ピークが重ならないようにし、ピーク値の上昇を抑制してＥＭＩを低減する。【選択図】図１
2011135262.tif 000002
【特許請求の範囲】
【請求項１】
所定の周波数のクロック信号を生成するクロック信号生成部と、
前記クロック信号生成部によって生成されたクロック信号を拡散変調する周波数拡散変調部と、
前記周波数拡散変調部が行う拡散変調の変調タイプの設定を制御する変調タイプ設定制御部とを備え、
前記周波数拡散変調部は、前記変調タイプ設定制御部の制御によって複数の変調タイプから変調タイプを選択して設定し、当該設定した変調タイプに基づいてクロック信号を拡散変調する、クロック信号制御装置。
【請求項２】
前記周波数拡散変調部は、周波数スペクトラムの中心周波数と帯域幅の少なくとも何れか一方をパラメータとして拡散変調を行い、
前記変調タイプは、前記中心周波数と帯域幅の少なくとも何れか一方のパラメータを異にする複数の組み合わせを含む、請求項１に記載のクロック信号制御装置。
【請求項３】
前記変調タイプ設定制御部は、前記周波数拡散変調部に異なる電位から成る制御信号を出力し、
前記周波数拡散変調部は、前記制御信号の電位に基づいて変調タイプの設定制御を行う、請求項１又は２に記載のクロック信号制御装置。
【請求項４】
前記変調タイプ設定制御部は、外部端子の接続状態に基づいて前記制御信号を出力する請求項３に記載のクロック信号制御装置。
【請求項５】
前記変調タイプを設定する設定データを格納する変調タイプ記憶部を備え、
前記変調タイプ設定制御部は、前記変調タイプ記憶部から設定データを読み出し、
前記周波数拡散変調部は、前記変調タイプ設定制御部が読み出した設定データに基づいて変調タイプを設定し、設定した変調タイプに基づいて拡散変調する、請求項２に記載のクロック信号制御装置。
【請求項６】
画像形成を行う画像形成部と、
前記画像形成部に画像形成用の用紙を搬送する給紙部とを備え、
前記画像形成部は、一又は複数の給紙部をカスケード接続自在であり、
前記給紙部は、前記請求項１から５の何れかに記載のクロック信号制御装置を備え、当該クロック信号制御装置で拡散変調したクロック信号に基づいて用紙を搬送する、画像形成装置。
【発明の詳細な説明】
【技術分野】
【０００１】
本発明は、クロック信号制御装置および画像形成装置等の電子機器から放射される電磁波に起因する電磁波障害（ＥＭＩ）を抑制する技術に関する。特に、周波数拡散されたクロック信号を電子機器の制御部（ＣＰＵ等）に供給することにより電子機器から放射される電磁波を低減させ電磁波障害を抑制する技術に関する。
【背景技術】
【０００２】
従来から、情報処理装置や電気通信機器や電子事務用機器など（以下「電子機器」という）から放射される電磁波については、いわゆるＥＭＩ（電磁波障害）の抑制を図るべく、ＣＩＳＰＲ(国際無線障害特別委員会)やＶＣＣＩ（情報処理装置等電波障害自主規制協議会）等においてその許容上限値が規制されている。
【０００３】
一般的なＥＭＩ抑制の技術として、電子機器には電磁シールドやフェライトビーズやチョークコイル等を設けることが行われ、これらの素子によって電子機器から放射される電磁波の低減が図られている。
【０００４】
また、電子機器から放射される電磁波を低減してＥＭＩを抑制する対策として、スペクトラム拡散クロックジェネレータ（以下「ＳＳＣＧ」という）によりクロック信号の周波数を周波数拡散し、この周波数拡散してクロック信号を電子機器の制御部に供給することによって電子機器から放射される電磁波を許容上限値以下に抑制する手法が知られている（例えば，特許文献１、２参照）。
【０００５】
このＳＳＣＧは、水晶振動子を有する水晶発振器などのクロック信号生成装置により生成したクロック信号の周波数を、予め定められた一定の拡散率に基づいて拡散して変調する装置である。周波数拡散したクロック信号の周波数スペクトルは、広い帯域幅に拡散すると共にスペクトル振幅が減少し、ＥＭＩ成分が低減される。
【先行技術文献】
【特許文献】
【０００６】
【特許文献１】特開２００２−３３８５８号公報
【特許文献２】特開２００５−２２３７７０号公報
【発明の概要】
【発明が解決しようとする課題】
【０００７】
ＳＳＣＧは、周波数を拡散変調することによってＥＭＩを抑制する技術であるが、この周波数変調は高い精度で制御することが難しく、そのため、正確な変調波（三角波）を生成することができないという問題がある。このため、拡散変調された周波数スペクトラムにピークが生じる。
【０００８】
図１１はＳＳＣＧによって拡散変調された周波数スペクトラムを示している。図１１（ａ）は一つの拡散変調された周波数スペクトラムを示し、基準周波数の両側に帯域幅を有して拡散し、これによってピーク値が低下するものの、一部にピークが発生する。
【０００９】
このような周波数スペクトラムの特性を有した回路を複数使用すると、ピークが重なり、重畳したピーク値が上昇し、ＥＭＩ低減効果が十分に得られないという問題が発生する。図１１（ｂ）は、ピーク値が重なる状態を示している。
【００１０】
また、従来のＳＳＣＧは一定の拡散タイプに設定されている。そのため、電子機器がどのような状態であるかに関わらず、常に一定の拡散タイプで周波数拡散されたクロック信号が電子機器に供給される。
【００１１】
この周波数拡散されたクロック信号では周波数が揺れるために周波数が時間的に変動するという位相特性を有している。
【００１２】
このような周波数が時間変動するという位相特性を有したクロック信号を電子機器に供給した場合には、クロック信号で駆動される電子機器の動作が変動する場合がある。
【００１３】
例えば、クロック信号を供給する電子機器が画像形成装置である場合には、プリンタ本体に複数のオプションカセットを設置した場合に、用紙の搬送に支障が生じる場合がある。図１２は、画像形成装置の構成例を説明するための図である。図１２に示す構成では、画像形成装置はプリンタ本体である画像形成部１０に複数のオプションカセット１１，１２をカスケード接続し、オプションカセット１１，１２からプリンタ本体１０に用紙を供給する。オプションカセット１１，１２はそれぞれ用紙を搬送する給紙部を備えている。
【００１４】
複数の同一のオプションカセットの給紙動作を、ＳＳＣＧで周波数拡散したクロック信号で制御すると、それぞれのオプションカセット間で用紙の受け渡しを行う際に、各オプションカセットにおける拡散周期の位相が異なるため、それぞれの搬送速度に差が生じる場合がある。このように、搬送速度に差が生じると、ローラ間で用紙の引き合いが生じ、搬送負荷が増大するという問題が生じる。
【００１５】
そこで、本発明は上記した問題点に鑑みてなされたものであり、本発明の第１の目的は、周波数拡散によって拡散調整された周波数スペクトラムのピークの重なりを防ぐことを目的とし、これによって、複数の電子機器について周波数拡張変調を行う際に、ＥＭＩ低減効果が十分得られることを目的とする。
【００１６】
また、本発明の第２の目的は、周波数拡散によって拡散調整された周波数の時間的変動の位相特性による電子機器の動作変動を低減することを目的とし、より詳細には、画像形成装置において、複数の給紙部間において用紙の搬送速度差によって生じる搬送の支障を低減し、不要な負荷の増大を防止することを目的とする。
【課題を解決するための手段】
【００１７】
上記目的を達成するために、本発明のクロック信号制御装置は、所定の周波数のクロック信号を生成するクロック信号生成部と、クロック信号生成部によって生成されたクロック信号を拡散変調する周波数拡散変調部と、周波数拡散変調部が行う拡散変調の変調タイプの設定を制御する変調タイプ設定制御部とを備える。周波数拡散変調部は、変調タイプ設定制御部の制御によって複数の変調タイプから変調タイプを選択して設定し、設定した変調タイプに基づいてクロック信号を拡散変調する。
【００１８】
周波数拡散変調部は、複数の変調タイプから選択した変調タイプに基づいてクロック信号を拡散変調する。これによって、複数の周波数拡散変調部において異なる変調タイプで周波数拡散を行い、周波数拡散によって拡散調整された周波数スペクトラムの各ピークが重ならないようにする。ピークの重なりを防ぐことで、ピーク値の上昇を抑制してＥＭＩを低減する。
【００１９】
また、周波数拡散によって拡散調整された周波数の時間的変動の位相特性による電子機器の動作の不具合を低減する。
【００２０】
本発明の周波数拡散変調部は、周波数スペクトラムの中心周波数と帯域幅の少なくとも何れか一方をパラメータとして拡散変調を行う。変調タイプは、中心周波数と帯域幅の少なくとも何れか一方のパラメータを異にする複数の組み合わせによって定めることができる。例えば、周波数拡散変調部によって拡散変調する複数のクロック信号について、これらの周波数スペクトラムの中心周波数又は帯域幅の何れか一方を異ならせる。これによって、拡散調整された周波数スペクトラムの各ピークの周波数がずれ、ピークの重なりを抑制することができる。
【００２１】
また、周波数拡散変調部によって拡散変調する複数のクロック信号について、これらの周波数スペクトラムの中心周波数と帯域幅の組み合わせを異ならせても良い。これによっても、同様に、拡散調整された周波数スペクトラムの各ピークの周波数がずれ、ピークの重なりを抑制することができる。
【００２２】
本発明の変調タイプ設定制御部は、複数の形態とすることができる。
変調タイプ設定制御部の第１の形態は、周波数拡散変調部に異なる電位から成る制御信号を出力するものである。この制御信号は、外部端子の接続状態に基づいて出力することができる。例えば、外部端子の接続状態が接地状態あるいは開放状態かによって、制御信号の電位を定め、周波数拡散変調部は、この制御信号の電位に基づいて変調タイプの設定制御を行う。
【００２３】
変調タイプ設定制御部の第２の形態は、クロック信号制御装置に変調タイプを設定する設定データを格納する変調タイプ記憶部を備えておく。変調タイプ設定制御部は、この変調タイプ記憶部から設定データを読み出し、周波数拡散変調部は、変調タイプ設定制御部が読み出した設定データに基づいて変調タイプを設定し、設定した変調タイプに基づいて拡散変調する。
【００２４】
この第２の形態によれば、変調タイプ記憶部に複数の設定データを格納することができるため、複数の変調タイプを設定することができる。
【００２５】
本発明は、本発明クロック信号制御装置を有した画像形成装置を含む。本発明の画像形成装置は、画像形成を行う画像形成部と、画像形成部に画像形成用の用紙を搬送する給紙部とを備える。画像形成部は、一又は複数の給紙部をカスケード接続自在である。また、給紙部は、前記した本発明のクロック信号制御装置を備える。
【００２６】
本発明の画像形成装置は、クロック信号制御装置で拡散変調したクロック信号に基づいて用紙を搬送する。クロック信号制御装置で拡散変調して得られる変調クロック信号は、ピーク値の重なりが抑制されているため、複数の給紙部からの電磁波障害を低減する。
【００２７】
また、複数のクロック信号駆動装置において、各クロック信号制御装置で拡散変調して得られる変調クロック信号の周波数帯や中心周波数を所定の関係となるようにずらす。これによって、変調クロック信号で駆動される複数の給紙部間において、搬送される用紙の搬送速度差が生じた場合であっても、搬送に支障がないように速度がずれるようにし、不要な負荷の増大を防止することができる。
【発明の効果】
【００２８】
本発明によれば、周波数拡散によって拡散調整された周波数スペクトラムのピークの重なりを防ぐことができる。さらに、これによって、複数の電子機器について周波数拡張変調を行う際に、ＥＭＩ低減効果が十分得られることができる。
【００２９】
また、本発明によれば、周波数拡散によって拡散調整された周波数の時間的変動の位相特性による電子機器の動作の不具合を低減することができる。
【００３０】
さらに、本発明によれば、画像形成装置において、複数のオプションカセット間において用紙の搬送速度差によって生じる搬送の支障を低減し、不要な負荷の増大を防止することができる。
【図面の簡単な説明】
【００３１】
【図１】本発明によるクロック信号制御の概要を説明するための図である。
【図２】本発明の変調タイプを説明するための図である。
【図３】本発明の画像形成装置の構成を説明するための概略図である。
【図４】本発明のクロック信号制御装置の概略構成を説明するための構成図である。
【図５】本発明のクロック信号制御装置の動作を説明するためのフローチャートである。
【図６】本発明のクロック信号制御装置の第１の形態を説明するための概略構成図である。
【図７】本発明のクロック信号制御装置の第１の形態を説明するための動作説明図である。
【図８】本発明のクロック信号制御装置の第２の形態を説明するための概略構成図である。
【図９】本発明のクロック信号制御装置の第２の形態を説明するためのフローチャートである。
【図１０】本発明のクロック信号制御装置の第２の形態を説明するための動作説明図である。
【図１１】拡散調整された周波数スペクトラムを示す図である。
【図１２】画像形成装置の構成例を説明するための図である。
【発明を実施するための形態】
【００３２】
本発明を実施する最良の形態について、以下に図を用いて詳細に説明する。
【００３３】
はじめに、本発明によるクロック信号制御の概要について図１を用いて説明する。図１において、複数の電子機器１〜３はそれぞれ内部において、クロック信号を生成し、生成したクロック信号のスペクトルを拡散させる周波数拡散変調を行って変調クロック信号を生成し、この変調クロック信号に基づいて動作する。
【００３４】
ここで、各電子機器１〜３が生成する変調クロック信号は、それぞれ周波数拡散変調する変調タイプを異ならせる。
【００３５】
変調タイプは、周波数スペクトラムの中心周波数と帯域幅の少なくとも何れか一方をパラメータとし、何れか一方のパラメータの値を異ならせることによって、あるいは両パラメータの組み合わせ値を異ならせることによって設定することができる。この変調パラメータの設定を異ならせることで、複数の変調クロック信号が生成され、そのＥＭＩ成分が放射された場合であっても、各変調クロック信号のピーク値を周波数上でずらすことができる。各変調クロック信号のピーク値を周波数上でずらすことによって、ピーク値が重なることによるピーク値の上昇を避けることができる。
【００３６】
図２は、変調タイプを説明するための図である。図２（ａ）は、変調クロック信号の中心周波数をずらすことによる変調タイプの例を示している。図２（ａ）中の実線で示す周波数スペクトラムＡは、周波数拡散した変調クロック信号の中心周波数が基準周波数となる変調タイプを示している。この変調タイプを、周波数が基準周波数のままで中央に止まることからセンタースプレッドと称する。
【００３７】
また、図２（ａ）中の破線で示す周波数スペクトラムＢは、周波数拡散した変調クロック信号の中心周波数が基準周波数から低周波数方向にずれる変調タイプを示している。この変調タイプを、周波数が低周波数に移動することからダウンスプレッドと称する。
【００３８】
一方、図２（ｂ）は、変調クロック信号の周波数幅を変えることによる変調タイプの例を示している。図２（ｂ）中の実線は、周波数拡散した変調クロック信号の周波数幅が基準周波数のままで変化しない変調タイプを示している。また、図２（ｂ）中の破線は、周波数拡散した変調クロック信号の周波数幅が基準周波数よりも拡大する変調タイプを示している。
【００３９】
なお、図２では、中心周波数又は周波数幅の何れか一方が変化する変調タイプに示しているが、中心周波数および周波数幅の両方が変化する変調タイプとしてもよい。
【００４０】
なお、これらの変調タイプにおいて、生成された変調クロック信号の周波数スペクトラムのピーク位置が重なる場合には、変調タイプを変更してピーク位置が重ならないようにずらす調整を行う。本発明における電子機器の台数は３台である必要はなく、少なくとも２台あれば足りる。
【００４１】
ここで行う変調タイプの変更によるピーク位置ずらし調整は、変調タイプを設定した後に周波数スペクトルのピーク位置を確認し、ピーク位置に重なりが生じたときに行う。このピーク位置のずらし調整機能は、図示しないピーク位置検出手段の検出結果に基づいて変調タイプ設定制御部で行う構成とする他、変調タイプ設定制御部内にピーク位置検出機能を持たせる構成としてもよい。
【００４２】
図１に示す第１電子機器１〜第３電子機器３では、中心周波数を互いにずらすことによって、ピーク位置が重なることを抑制する。ここで、第３電子機器３は中心周波数が基準周波数に一致させるセンタースプレッドの変調タイプによって周波数拡散し、第２電子機器２および第１電子機器１は、中心周波数が基準周波数から低周波数方向にずれるダウンスプレッドの変調タイプによって周波数拡散する。第１電子機器１の中心周波数の低周波数方向のずれは、第２電子機器２の中心周波数の低周波数方向のずれよりも大きくなるようにし、ピーク位置が重ならないように設定している。
【００４３】
また、第１電子機器１〜第３電子機器３が画像形成装置の給紙部である場合には、給紙部間において用紙搬送速度にずれが生じた場合であっても、用紙搬送の負荷が増大しないように設定される必要がある。
【００４４】
この用紙搬送において、搬送機構（図示していない）を駆動するモータの回転速度を変調クロック信号に基づいて設定する構成では、画像形成部（図示していない）に近い位置に設置される給紙部の搬送速度を低速とし、画像形成部（図示していない）から遠い位置に設置される給紙部の搬送速度を高速となるように設定する。これによって、隣接する給紙部間において、送り込まれる用紙は搬送速度差によってたるむため、速度関係が逆の場合の引っ張りによる負荷の増大は発生しない。
【００４５】
本発明の画像形成装置の構成例を、図３を用いて説明する。図３は本発明の画像形成装置の構成を説明するための概略図である。図３では、レーザビームプリンタの例を用いて示している。レーザビームプリンタは、レーザビームを走査することによって転写材に画像を形成する画像形成装置であるが、本発明はレーザビームに限られるものではなく、搬送される用紙上に画像を形成する任意の形式の画像形成装置に適用することができる。
【００４６】
レーザビームプリンタ等の画像形成装置４は、図３に示すように、静電記録方式によって画像を転写紙５に形成する画像形成部１０と給紙部１１，１２を備える。
【００４７】
画像形成部１０は、イメージ展開部からレーザビームのオン／オフ信号を受け取り、このオン／オフ信号に基づいてレーザビームを駆動することによって転写紙５に画像を形成し、主電源（図示していない）によって電力供給を受ける。
【００４８】
イメージ展開部は、画像形成装置４の外部に備えたホストコンピュータ（図示していない）にあるＣＰＵとシリアルインタフェースあるいはパラレルインタフェースを介して接続され、ホストコンピュータから受け取った画像情報をビットマップに展開する。
【００４９】
画像形成部１０は、ドラム状の感光体１０ｉ，現像装置１０ｈ，定着装置１０ｊが転写紙５の搬送路に沿って配置され、感光体１０ｉ上にはレーザスキャナ１０ｋが設けられている。
【００５０】
レーザスキャナ１０ｋは、例えば、半導体レーザ、回転多面鏡、光学レンズなどから構成され、ビットマップの画像情報に基づくオン／オフ信号によりレーザ光を変調し、変調したレーザビームを感光体１０ｉ上に走査する。これによって、感光体１０ｉ上には出射されたレーザビームによって静電潜像が形成される。感光体１０ｉ上に形成された静電潜像は、現像装置１０ｈによって現像され、感光体１０ｉ上に現像剤像が形成される。
【００５１】
転写紙５の搬送路は、カセット桶１０ａ，給紙ローラ１０ｂ，搬送ローラ１０ｃ，１０ｄ，１０ｅ，１０ｆ，１０ｇ等により形成され、カセット桶１０ａから給紙ローラ１０ｂで取り出され、搬送ローラ１０ｄ〜１０ｇで搬送された転写紙５は、画像が形成された後、排紙口から排出される。給紙ローラ１０ｂおよび搬送ローラ１０ｃ〜１０ｇは、マスターＣＰＵ（図示していない）で制御されるモータ（図示していない）によって駆動される。なお、搬送ローラ１０ｃは、接続された給紙部１１から搬送された転写紙を取り込むためのローラである。
【００５２】
感光体１０ｉ上に形成された現像剤像は、給紙ローラ１０ｂから搬送路に沿って送り出された転写紙５に転写ローラで転写され、現像剤像が転写された転写紙５は定着装置１０ｊに送られる。
【００５３】
定着装置１０ｊは、転写紙５を加熱、加圧することによって転写紙５に現像剤像を定着させる。画像が定着された転写紙５は、排紙口から外部に搬出される。
【００５４】
画像形成部１０の制御は、マスターＣＰＵ（図示していない）で行われる。マスターＣＰＵは、ＲＯＭ（図示していない）を内蔵あるいは外装し、このＲＯＭに格納されている制御プログラムに基づいて画像形成部１０の画像形成動作および転写紙の搬送動作を制御する。
【００５５】
給紙部１１は、オプションカセット１３内に設けられ、カセット桶１１ａから転写紙を取り出して画像形成部１０に供給する。給紙部１１は、所定のサイズを有する転写紙をカセット桶１１ａに収納する。カセット桶１１ａに収納する転写紙は、画像形成部１０のカセット桶１０ａに収納された転写紙と同サイズに限らず、任意のサイズとすることができる。給紙部１１は、オプションピックアップローラ１１ｂとオプションカセット給紙搬送ローラ１１ｄをモータ１１ｅで駆動し、転写紙を画像形成部１０に送り出す動作を行う。破線は、モータ１１ｅからの駆動伝達状況を模式的に表している。
【００５６】
モータ１１ｅはステッピングモータが使用されることが多く、制御基板１１ｆによって制御される。制御基板１１ｆはＣＰＵを有し、内蔵あるいは外装されたＲＯＭに格納されている制御プログラムに基づいて、給紙部の転写紙の搬送動作を制御する。また、クロック信号生成部および周波数拡散変調部を備え、クロック信号生成部で生成し、周波数拡散変調で拡散変調して得られた変調クロック信号に基づいて、ＣＰＵや駆動機構を駆動する。
【００５７】
給紙部１２は、前記したオプションカセット１３の下段に設けられたオプションカセット１４内に設けられ、カセット桶１２ａから転写紙を取り出してオプションカセット１４の給紙部１１に供給する。給紙部１２は、所定のサイズを有する転写紙をカセット桶１２ａに収納する。カセット桶１２ａに収納する転写紙は、画像形成部１０のカセット桶１０ａに収納された転写紙と同サイズに限らず、任意のサイズとすることができる。給紙部１２は、オプションピックアップローラ１２ｂとオプションカセット給紙搬送ローラ１２ｄをモータ１２ｅで駆動し、転写紙を画像形成部１０に送り出す動作を行う。破線は、モータ１２ｅからの駆動伝達状況を模式的に表している。
【００５８】
モータ１２ｅはステッピングモータが使用されることが多く、制御基板１２ｆによって制御される。制御基板１２ｆはＣＰＵを有し、内蔵あるいは外装されたＲＯＭに格納されている制御プログラムに基づいて、給紙部の転写紙の搬送動作を制御する。また、クロック信号生成部および周波数拡散変調部を備え、クロック信号生成部で生成し、周波数拡散変調で拡散変調して得られた変調クロック信号に基づいて、ＣＰＵや駆動機構を駆動する。
【００５９】
画像形成部１０側の制御部（図示していない）と制御基板１１ｆとの間、および制御基板１１ｆとの制御基板１２ｆと間のデータ送受信は、クロック同期式シリアル通信、調歩同期またはこれに類するシリアル通信で行うことができる。
【００６０】
次に、本発明のクロック信号制御装置について、図４，図５を用いて説明する。図４は本発明のクロック信号制御装置の概略構成を説明するための構成図であり、図５は本発明のクロック信号制御装置の動作を説明するためのフローチャートである。
【００６１】
図４において、クロック信号制御装置１００は、基準となるクロック信号を生成するクロック信号生成部１０２、クロック信号生成部１０２で生成したクロック信号を周波数拡散変調する周波数拡散変調部１０３、周波数拡散変調部１０３で行う周波数拡散変調の変調タイプの設定を制御する変調タイプ設定制御部１０４を備える。また、制御部１０１を備える。制御部１０１はＣＰＵを備え、ＲＯＭ等に格納されたプログラムにしたがってクロック信号制御装置１００の制御動作を行う。
【００６２】
周波数拡散変調部１０３は、周波数拡散変調の変調タイプを設定する機能を有し、変調タイプ設定制御部１０４からの制御信号に基づいて変調タイプを設定する。周波数拡散変調部１０３は、周波数スペクトラムの中心周波数と帯域幅の少なくとも何れか一方をパラメータとして拡散変調を行う。変調タイプは、中心周波数と帯域幅の少なくとも何れか一方のパラメータを異にする複数の組み合わせによって定める。また、周波数拡散変調部によって拡散変調する複数のクロック信号について、これらの周波数スペクトラムの中心周波数又は帯域幅の何れか一方を異ならせる。これによって、拡散調整された周波数スペクトラムの各ピークの周波数がずれ、ピークの重なりを抑制する。
【００６３】
変調タイプ設定制御部１０４は、外部信号等に基づいて変調タイプの設定を制御する制御信号を生成し、周波数拡散変調部１０３に送る。周波数拡散変調部１０３は、この制御信号に基づいて複数の変調タイプから選択し、選択した変調タイプを設定し、設定した変調タイプに基づいて周波数拡散変調を行う。
【００６４】
図５のフローチャートは、二段のオプションカセット（給紙部）を備える構成について示し、各制御基板が備えるＣＰＵによる動作例を示している。
【００６５】
はじめに、各オプションカセットの制御基板１１ｆ，１２ｆは、他のオプションカセットとの制御状態に関する情報を取得する。オプションカセットとの制御状態は、各制御基板１１ｆ，１２ｆの制御端子間の接続状態によって得られる電位あるいは制御信号によって取得される(S1)。
【００６６】
ここで、１段目のオプションカセットと２段目のオプションカセットが装着されている場合について説明する。オプションカセットが１段目のオプションカセットであるか、あるいは２段目のオプションカセットであるかは、２段目のオプションカセットとの接続状態に係る情報の有無によって識別することができる(S2,4)。
【００６７】
オプションカセットが１段目のオプションカセットである場合には、制御基板１１ｆは２段目のオプションカセットとの接続状態に係る情報を取得することによって検出することができる。この場合には、３段目のオプションカセットと接続されていないため、制御基板１１ｆの変調タイプ設定制御部１０４は、接続状態に係る情報に基づいて、周波数拡散変調部１０３に対して１段目のオプションカセットに対応する変調タイプを設定するように制御する。周波数拡散変調部１０３は、この制御に基づいて変調タイプを設定し、周波数拡散変調を行う。ここでは、ダウンスプレッドに設定する (S3)。
【００６８】
一方、オプションカセットが２段目のオプションカセットである場合には(S4)、制御基板１２ｆは３段目のオプションカセットとの接続状態に係る情報を取得することによって検出することができる。この場合には、３段目のオプションカセットと接続されていないため、制御基板１２ｆの変調タイプ設定制御部１０４は、接続状態に係る情報に基づいて、周波数拡散変調部１０３に対して２段目のオプションカセットに対応する変調タイプを設定するように制御する。周波数拡散変調部１０３は、この制御に基づいて変調タイプを設定し、周波数拡散変調を行う。ここでは、センタースプレッドに設定する (S5)。
【００６９】
設定した変調タイプに基づいて、クロック信号生成部１０２で生成されたクロック信号を周波数拡散変調し（S6）、変調クロック信号を制御基板のＣＰＵや他の素子に供給する(S7)。
【００７０】
以下、本発明のクロック信号制御装置の第１の形態と第２の形態について説明する。
【００７１】
[クロック信号制御装置の第１の形態]
本発明のクロック信号制御装置の第１の形態において、変調タイプ設定制御部は、周波数拡散変調部に異なる電位から成る制御信号を出力する。この制御信号は、外部端子の接続状態に基づいて出力することができる。例えば、外部端子の接続状態が接地状態あるいは開放状態かによって、制御信号の電位を定め、周波数拡散変調部は、この制御信号の電位に基づいて変調タイプの設定制御を行う。
【００７２】
以下、図６，図７を用いて第１の形態を説明する。
図６は、本発明のクロック信号制御装置の第１の形態を説明するための概略構成図であり、図７は本発明のクロック信号制御装置の第１の形態を説明するための動作説明図である。図６において、クロック信号制御装置１００Ａは、基準となるクロック信号を生成するクロック信号生成部１０２Ａ，クロック信号生成部１０２Ａで生成したクロック信号を周波数拡散変調する周波数拡散変調部１０３Ａ、周波数拡散変調部１０３Ａで行う周波数拡散変調の変調タイプの設定を制御する変調タイプ設定制御部１０４Ａを備える。また、制御部１０１ＡはＣＰＵを備え、ＲＯＭ等に格納されたプログラムにしたがってクロック信号制御装置１００Ａの制御動作を行う。
【００７３】
第１の形態の変調タイプ設定制御部１０４Ａは、一端を周波数拡散変調部１０３Ａに接続し、他端を外部接続端子に接続し、接続点の電位を＋Ｖとする構成である。
【００７４】
この構成において、下段側にオプションカセットが接続されていない場合には、外部接続端子は開放状態となる。この外部接続端子が開放状態であることによって、外部接続端子は＋Ｖの電位となり、周波数拡散変調部１０３Ａの端子は＋Ｖの電位となる。周波数拡散変調部１０３Ａはこの＋Ｖ電位を制御信号として入力し、この＋Ｖ電位に対応して定められた変調タイプを選択し設定する。
【００７５】
図７（ａ）はこの下段側にオプションカセットが接続されていない状態を示している。ここで、＋Ｖ電位に対応して定められた変調タイプとしてセンタースプレッドの変調タイプを設定しておくことによって、クロック信号生成部１０２Ａで生成されたクロック信号は、周波数拡散変調部１０３Ａによってセンタースプレッドに拡散変調される。
【００７６】
一方、この構成において、下段側にオプションカセットが接続されると、外部接続端子は下段側のオプションカセットの接地端子に接続される。この接地端子との接続によって、外部接続端子はグラウンドに接地され、周波数拡散変調部１０３Ａの端子は零電位となる。周波数拡散変調部１０３Ａはこの零電位を制御信号として入力し、この零電位に対応して定められた変調タイプを選択し設定する。
【００７７】
図７（ｂ）はこの下段側にオプションカセットが接続された状態を示している。ここで、第１のオプションカセットでは、接地電位に対応して定められた変調タイプとしてダウンスプレッドの変調タイプを設定しておくことによって、クロック信号生成部１０２Ａで生成されたクロック信号は、周波数拡散変調部１０３Ａによってダウンスプレッドに拡散変調される。
【００７８】
一方、第２のオプションカセットでは、下段側にオプションカセットが接続されていないため、外部接続端子は開放状態となる。この外部接続端子が開放状態であることによって、外部接続端子は＋Ｖの電位となり、周波数拡散変調部１０３Ａ´の端子は＋Ｖの電位となる。周波数拡散変調部１０３Ａ´はこの＋Ｖ電位を制御信号として入力し、この＋Ｖ電位に対応して定められた変調タイプを選択し設定する。
【００７９】
＋Ｖ電位に対応して定められた変調タイプとしてセンタースプレッドの変調タイプを設定しておくことによって、クロック信号生成部１０２Ａ´で生成されたクロック信号は、周波数拡散変調部１０３Ｂによってセンタースプレッドに拡散変調される。
【００８０】
[クロック信号制御装置の第２の形態]
本発明の変調タイプ設定制御部の第２の形態において、クロック信号制御装置に変調タイプを設定する設定データを格納する変調タイプ記憶部を備えておく。変調タイプ設定制御部は、この変調タイプ記憶部から設定データを読み出し、周波数拡散変調部は、変調タイプ設定制御部が読み出した設定データに基づいて変調タイプを設定し、設定した変調タイプに基づいて拡散変調する。
【００８１】
以下、図８〜図１０を用いて第２の形態を説明する。
図８は、本発明のクロック信号制御装置の第２の形態を説明するための概略構成図である。図８において、クロック信号制御装置１００Ｂは、基準となるクロック信号を生成するクロック信号生成部１０２Ｂ，クロック信号生成部１０２Ｂで生成したクロック信号を周波数拡散変調する周波数拡散変調部１０３Ｂ、周波数拡散変調部１０３Ｂで行う周波数拡散変調の変調タイプの設定を制御する変調タイプ設定制御部１０４Ｂ、変調タイプのデータを格納する変調タイプ記憶部１０５Ｂ、外部装置との間でデータの送受信を行う送受信部１０６Ｂを備える。また、制御部１０１ＢはＣＰＵを備え、ＲＯＭ等に格納されたプログラムにしたがってクロック信号制御装置１００Ｂの制御動作を行う。
【００８２】
第２の形態の変調タイプ設定制御部１０４Ｂは、一端を周波数拡散変調部１０３Ｂに接続し、他端を送受信部に接続して、外部から送信された制御信号に基づいて、変調タイプ記憶部１０５Ｂから変調タイプを読み出し、周波数拡散変調部１０３Ｂに対して変調タイプの設定を制御する。
【００８３】
送受信部１０６Ｂは、そのクロック信号制御装置１００Ｂが他のクロック信号制御装置１００Ｂに対して如何なる位置関係にあるかを識別するデータを順に送受信する。このデータは、例えば、カウンタ値ｃによって構成することができる。カウンタ値ｃの値に基づいて変調タイプを設定し、値を変更したカウンタ値ｃを次のクロック信号制御装置１００Ｂに送信することで、各クロック信号制御装置１００Ｂに対して異なる変調タイプを設定する。
【００８４】
図９のフローチャートおよび図１０の動作図において、設定データを取得する(S11)。設定データは、例えば、画像形成装置等の最上流側からカウンタ値ｃ＝１を含むデータによって送信する。クロック信号制御装置１００Ｂは、カウンタ値ｃ＝１のデータを受けると、変調タイプ設定制御部１０４Ｂは、受信したデータ中のカウンタ値ｃ＝１に基づいて、このカウンタ値ｃ＝１に対応して定められた変調タイプを変調タイプ記憶部１０５Ｂから読み出し(S12)、このカウンタ値ｃ＝１に“１”を加算してｃ＝２として次のクロック信号制御装置１００Ｂに送信する(S13)。
【００８５】
カウンタ値ｃ＝１を受けたクロック信号制御装置１００Ｂは、変調タイプ記憶部１０５Ｂから読み出し変調タイプを周波数拡散変調部１０３Ｂに設定する(S14)。
【００８６】
設定した変調タイプに基づいて、クロック信号生成部１０２Ｂで生成されたクロック信号を周波数拡散変調し（S15）、変調クロック信号を制御基板のＣＰＵや他の素子に供給する(S16)。
【００８７】
図１０の構成では、第１のクロック信号制御装置および第２のクロック信号制御装置はダウンスプレッドを設定し、第１のクロック信号制御装置はセンタースプレッドを設定する例を示している。
【００８８】
以上、本発明の好適な実施の形態について説明したが、上記で言及した以外にも種々の変形、変更を行うことが可能である。例えば、画像形成装置は、プリンタの他、複写機、ファクシミリ機等も含み得る。
【符号の説明】
【００８９】
１-３    電子機器
４    画像形成装置
５    転写紙
１０    画像形成部
１０ａ    カセット桶
１０ｃ-１０ｇ    搬送ローラ
１０ｈ，    現像装置
１０ｉ    感光体
１０ｊ    定着装置
１０ｋ    レーザスキャナ
１１    給紙部
１１ａ    カセット桶
１１ｂ    オプションピックアップローラ
１１ｄ    オプションカセット給紙搬送ローラ
１１ｅ    モータ
１１ｆ    制御基板
１２    給紙部
１２ａ    カセット桶
１２ｂ    オプションピックアップローラ
１２ｄ    オプションカセット給紙搬送ローラ
１２ｅ    モータ
１２ｆ    制御基板
１３    オプションカセット
１４    オプションカセット
１００    クロック信号制御装置
１００Ａ    クロック信号制御装置
１００Ｂ    クロック信号制御装置
１０１    制御部
１０１Ａ    制御部
１０１Ｂ    制御部
１０２    クロック信号生成部
１０２Ａ    クロック信号生成部
１０２Ｂ    クロック信号生成部
１０３    周波数拡散変調部
１０３Ａ    周波数拡散変調部
１０３Ｂ    周波数拡散変調部
１０４    変調タイプ設定制御部
１０４Ａ    変調タイプ設定制御部
１０４Ｂ    変調タイプ設定制御部
１０５Ｂ    変調タイプ記憶部
１０６Ｂ    送受信部
【図１】
2011135262.tif 000003
【図２】
2011135262.tif 000004
【図３】
2011135262.tif 000005
【図４】
2011135262.tif 000006
【図５】
2011135262.tif 000007
【図６】
2011135262.tif 000008
【図７】
2011135262.tif 000009
【図８】
2011135262.tif 000010
【図９】
2011135262.tif 000011
【図１０】
2011135262.tif 000012
【図１２】
2011135262.tif 000013
【図１１】
2011135262.tif 000014